【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
画像データに対して、同一種類、且つ、互いに異なる複数のパラメータ値を用いて画像処理を施して複数の処理結果を生成する画像処理手段と、
前記画像処理手段によって生成された複数の処理結果を表示する表示手段と、
前記表示手段によって表示された複数の処理結果から、ユーザーの入力に応じて、１つの処理結果を選択する選択手段と、
複数の画像データについて、前記画像処理手段による画像処理、前記表示手段による表示及び前記選択手段による選択を繰り返し実行させる制御手段と、
前記画像処理手段による画像処理、前記表示手段による表示及び前記選択手段による選択を繰り返し実行した結果、前記選択手段によって選択された処理結果に対応するパラメータ値が選択された頻度を検出する検出手段と、
前記検出手段によって検出されたパラメータ値の前記頻度が最も高いパラメータ値を、前記画像処理手段が画像データに対して自動的に画像処理を施す際に用いるパラメータ値として決定する決定手段と、
を有することを特徴とする画像処理装置。
【請求項２】
前記画像データを撮像シーンに基づいて分類する分類手段を更に有し、
前記制御手段は、前記分類手段によって分類された同一分類の複数の画像データについて、前記画像処理手段による画像処理、前記表示手段による表示及び前記選択手段による選択を繰り返し実行させ、
前記決定手段は、前記分類手段による分類に応じて前記画像処理手段で行う画像処理を複数の画像処理の中から自動的に選択し、選択された前記画像処理で用いるパラメータ値を決定することを特徴とする請求項１に記載の画像処理装置。
【請求項３】
前記制御手段は、同一分類の複数の画像データについて、前記画像処理手段による画像処理、前記表示手段による表示及び前記選択手段による選択を繰り返し実行させ、
前記決定手段は、前記検出手段によって検出されたパラメータ値の頻度が最も高いパラメータ値を、前記画像処理手段が前記同一分類の画像データに対して自動的に画像処理を施す際に用いるパラメータ値として決定することを特徴とする請求項２に記載の画像処理装置。
【請求項４】
前記表示手段は、前記画像処理手段によって生成された複数の処理結果のうちの一部の処理結果のみを表示し、前記選択手段によって処理結果が選択された後、前記選択手段によって選択された処理結果を含んで前記一部の処理結果を除く処理結果を表示することを特徴とする請求項１に記載の画像処理装置。
【請求項５】
前記表示手段は、同一の画像データに対して、前記画像処理手段によって生成された複数の処理結果の全てを一括して表示することを特徴とする請求項１に記載の画像処理装置。
【請求項６】
前記画像データは、ＲＡＷ画像データであることを特徴とする請求項１に記載の画像処理装置。
【請求項７】
被写体を撮像して画像データを生成する撮像手段と、
前記撮像手段によって生成された画像データに対して、同一種類、且つ、互いに異なる複数のパラメータ値を用いて画像処理を施して複数の処理結果を生成する画像処理手段と、
前記画像処理手段によって生成された複数の処理結果を表示する表示手段と、
前記表示手段によって表示された複数の処理結果から、ユーザーの入力に応じて、１つの処理結果を選択する選択手段と、
複数の画像データについて、前記画像処理手段による画像処理、前記表示手段による表示及び前記選択手段による選択を繰り返し実行させる制御手段と、
前記画像処理手段による画像処理、前記表示手段による表示及び前記選択手段による選択を繰り返し実行した結果、前記選択手段によって選択された処理結果に対応するパラメータ値の頻度を検出する検出手段と、
前記検出手段によって検出されたパラメータ値が選択された頻度が最も高いパラメータ値を、前記画像処理手段が画像データに対して自動的に画像処理を施す際に用いるパラメータ値として決定する決定手段と、
を有することを特徴とする撮像装置。
【請求項８】
前記画像データを前記撮像手段によって撮像された際の撮像情報を用いて得られる撮像シーンに基づいて分類する分類手段を更に有し、
前記制御手段は、前記分類手段によって分類された同一分類の複数の画像データについて、前記画像処理手段による画像処理、前記表示手段による表示及び前記選択手段による選択を繰り返し実行させ、
前記決定手段は、前記分類手段による分類に応じて前記画像処理手段で行う画像処理を複数の画像処理の中から自動的に選択し、選択された前記画像処理で用いるパラメータ値を決定することを特徴とする請求項７に記載の撮像装置。
【請求項９】
前記決定手段は、前記検出手段によって検出されたパラメータ値が選択された頻度が最も高いパラメータ値を、前記画像処理手段が前記同一分類の画像データに対して自動的に画像処理を施す際に用いるパラメータ値として決定することを特徴とする請求項８に記載の撮像装置。
【請求項１０】
画像処理装置の制御方法であって、
画像データに対して、同一種類、且つ、互いに異なる複数のパラメータ値を用いて画像処理を施して複数の処理結果を生成する画像処理ステップと、
前記画像処理ステップで生成された複数の処理結果を表示する表示ステップと、
前記表示ステップで表示された複数の処理結果から、ユーザーの入力に応じて、１つの処理結果を選択する選択ステップと、
複数の画像データについて、前記画像処理ステップにおける画像処理、前記表示ステップにおける表示及び前記選択ステップにおける選択を繰り返し実行させる制御ステップと、
前記画像処理ステップにおける画像処理、前記表示ステップにおける表示及び前記選択ステップにおける選択を繰り返し実行した結果、前記選択ステップで選択された処理結果に対応するパラメータ値が選択された頻度を検出する検出ステップと、
前記検出ステップで検出されたパラメータ値の頻度が最も高いパラメータ値を、画像データに対して自動的に画像処理を施す際に用いるパラメータ値として決定する決定ステップと、
を有することを特徴とする画像処理装置の制御方法。
【請求項１１】
前記画像データを撮像シーンに基づいて分類する分類ステップを更に有し、
前記制御ステップは、前記分類ステップにおいて分類された同一分類の複数の画像データについて、前記画像処理ステップにおける画像処理、前記表示ステップにおける表示及び前記選択ステップにおける選択を繰り返し実行させ、
前記決定ステップは、前記分類ステップにおける分類に応じて前記画像処理ステップにおける画像処理を複数の画像処理の中から自動的に選択し、選択された前記画像処理で用いるパラメータ値を決定することを特徴とする請求項１０に記載の画像処理装置の制御方法。
【請求項１２】
被写体を撮像して画像データを生成する撮像手段を備える撮像装置の制御方法であって、
前記撮像手段によって生成された画像データに対して、同一種類、且つ、互いに異なる複数のパラメータ値を用いて画像処理を施して複数の処理結果を生成する画像処理ステップと、
前記画像処理ステップで生成された複数の処理結果を表示する表示ステップと、
前記表示ステップで表示された複数の処理結果から、ユーザーの入力に応じて、１つの処理結果を選択する選択ステップと、
複数の画像データについて、前記画像処理ステップにおける画像処理、前記表示ステップにおける表示及び前記選択ステップにおける選択を繰り返し実行させる制御ステップと、
前記画像処理ステップにおける画像処理、前記表示ステップにおける表示及び前記選択ステップにおける選択を繰り返し実行した結果、前記選択ステップで選択された処理結果に対応するパラメータ値が選択された頻度を検出する検出ステップと、
前記検出ステップで検出されたパラメータ値の頻度が最も高いパラメータ値を、画像データに対して自動的に画像処理を施す際に用いるパラメータ値として決定する決定ステップと、
を有することを特徴とする撮像装置の制御方法。
【請求項１３】
前記画像データを前記撮像手段によって撮像された際の撮像情報を用いて得られる撮像シーンに基づいて分類する分類ステップを更に有し、
前記制御ステップは、前記分類ステップにおいて分類された同一分類の複数の画像データについて、前記画像処理ステップにおける画像処理、前記表示ステップにおける表示及び前記選択ステップにおける選択を繰り返し実行させ、
前記決定ステップは、前記分類ステップにおける分類に基づいて前記画像処理ステップにおける画像処理の内容を自動的に選択し、選択された前記画像処理で用いるパラメータ値を決定することを特徴とする請求項１２に記載の撮像装置の制御方法。
【請求項１４】
画像処理装置の制御方法をコンピュータに実行させるプログラムであって、
前記コンピュータに、
画像データに対して、同一種類、且つ、互いに異なる複数のパラメータ値を用いて画像処理を施して複数の処理結果を生成する画像処理ステップと、
前記画像処理ステップで生成された複数の処理結果を表示する表示ステップと、
前記表示ステップで表示された複数の処理結果から、ユーザーの入力に応じて、１つの処理結果を選択する選択ステップと、
複数の画像データについて、前記画像処理ステップにおける画像処理、前記表示ステップにおける表示及び前記選択ステップにおける選択を繰り返し実行させる制御ステップと、
前記画像処理ステップにおける画像処理、前記表示ステップにおける表示及び前記選択ステップにおける選択を繰り返し実行した結果、前記選択ステップで選択された処理結果に対応するパラメータ値が選択された頻度を検出する検出ステップと、
前記検出ステップで検出されたパラメータ値の頻度が最も高いパラメータ値を、画像データに対して自動的に画像処理を施す際に用いるパラメータ値として決定する決定ステップと、
を実行させることを特徴とするプログラム。
【請求項１５】
前記画像データを撮像シーンに基づいて分類する分類ステップを更に有し、
前記制御ステップは、前記分類ステップにおいて分類された同一分類の複数の画像データについて、前記画像処理ステップにおける画像処理、前記表示ステップにおける表示及び前記選択ステップにおける選択を繰り返し実行させ、
前記決定ステップは、前記検出ステップで検出されたパラメータ値の選択の頻度が最も高いパラメータ値を、選択された前記画像処理で用いるパラメータ値として決定することを特徴とする請求項１４に記載のプログラム。
【請求項１６】
被写体を撮像して画像データを生成する撮像手段を備える撮像装置の制御方法をコンピュータに実行させるプログラムであって、
前記コンピュータに、
前記撮像手段によって生成された画像データに対して、同一種類、且つ、互いに異なる複数のパラメータ値を用いて画像処理を施して複数の処理結果を生成する画像処理ステップと、
前記画像処理ステップで生成された複数の処理結果を表示する表示ステップと、
前記表示ステップで表示された複数の処理結果から、ユーザーの入力に応じて、１つの処理結果を選択する選択ステップと、
複数の画像データについて、前記画像処理ステップにおける画像処理、前記表示ステップにおける表示及び前記選択ステップにおける選択を繰り返し実行させる制御ステップと、
前記画像処理ステップにおける画像処理、前記表示ステップにおける表示及び前記選択ステップにおける選択を繰り返し実行した結果、前記選択ステップで選択された処理結果に対応するパラメータ値が選択された頻度を検出する検出ステップと、
前記検出ステップで検出されたパラメータ値の頻度が最も高いパラメータ値を、画像データに対して自動的に画像処理を施す際に用いるパラメータ値として決定する決定ステップと、
を実行させることを特徴とするプログラム。
【請求項１７】
前記画像データを前記画像データが撮像された際の撮像情報を用いて得られる撮像シーンに基づいて分類する分類ステップを更に有し、
前記制御ステップは、前記分類ステップにおいて分類された同一分類の複数の画像データについて、前記画像処理ステップにおける画像処理、前記表示ステップにおける表示及び前記選択ステップにおける選択を繰り返し実行させ、
前記決定ステップは、前記検出ステップで検出されたパラメータ値の選択の頻度が最も高いパラメータ値を、選択された前記画像処理に用いるパラメータ値として決定することを特徴とする請求項１６に記載のプログラム。
【請求項１８】
請求項１４又は１６に記載のプログラムを記録したコンピュータで読み取り可能な記録媒体。